(57)【要約】【課題】本発明は喫煙装置の使用方法を開示した。【解決手段】外枠を含み、前記外枠の頂端壁に保管庫が設置され、前記保管庫の中に保管キャビティが設置され、前記保管キャビティの中には三つのパーティションが垂直方向に均等に分布され、前記保管庫の左端壁底部に戻しばねが設置され、前記保管庫の右端壁の底部に振動装置（付図に示していない）が設置され、前記保管庫の底部に第一落ちキャビティが設置され、前記第一落ちキャビティの底端壁に回転キャビティが設置され、前記回転キャビティの左のキャビティ壁に軸受リングが設置され、前記回転キャビティの後端壁に第一歯車キャビティが設置され、前記第一歯車キャビティの後端壁に第二歯車キャビティが設置され、前記回転キャビティと前記第二歯車キャビティとの間には前記第一歯車キャビティに貫通する第一回転軸が回転で係合接続される。【選択図】図１
2020033102.tif 000002
【特許請求の範囲】
【請求項１】
外枠を含み、前記外枠の頂端壁に保管庫が設置され、前記保管庫の中に保管キャビティが設置され、前記保管キャビティの中には三つのパーティションが垂直方向に均等に分布され、前記保管庫の左端壁底部に戻しばねが設置され、前記保管庫の右端壁の底部に振動装置（付図に示していない）が設置され、前記保管庫の底部に第一落ちキャビティが設置され、前記第一落ちキャビティの底端壁に回転キャビティが設置され、前記回転キャビティの左のキャビティ壁に軸受リングが設置され、前記回転キャビティの後端壁に第一歯車キャビティが設置され、前記第一歯車キャビティの後端壁に第二歯車キャビティが設置され、前記回転キャビティと前記第二歯車キャビティとの間には前記第一歯車キャビティに貫通する第一回転軸が回転で係合接続され、前記回転キャビティの前記第一回転軸に回転円盤が固定的に係合接続され、前記第二歯車キャビティの第一回転軸に第一スパーギヤが設置され、前記第二歯車キャビティの左側にモータが設置され、前記第一回転軸の左端の延伸部が前記モータと動力で接続され、前記第二歯車キャビティの右端壁の底部に第二回転軸が回転で係合接続され、前記第二回転軸には前記第一スパーギヤと噛合する第二スパーギヤが固定的に係合接続され、前記第二回転軸にある前記第二スパーギヤの左端には第一傘歯車が固定的に係合接続され、前記第二歯車キャビティの底端壁には下方に開口した第三歯車キャビティが設置され、前記第三歯車キャビティと前記第二歯車キャビティとの間に第三回転軸が回転で係合接続され、前記第二歯車キャビティの前記第三回転軸には前記第一傘歯車と噛合する第二傘歯車が固定的に係合接続され、前記第二歯車キャビティの左側端壁に連接棒キャビティが設置され、前記第二歯車キャビティと前記連接棒キャビティとの間に第四回転軸が回転で係合接続され、前記第二歯車キャビティの前記第四回転軸には前記第二傘歯車と噛合する第三傘歯車が固定的に係合接続され、前記連接棒キャビティの前記第四回転軸には第四傘歯車が固定的に係合接続され、前記連接棒キャビティの前端壁に第五回転軸が回転で係合接続され、前記第五回転軸には前記第四傘歯車と噛合する第五傘歯車が固定的に係合接続され、前記第五傘歯車に第一連接棒が回転で係合接続され、前記連接棒キャビティの後端壁に固定軸が固定的に係合接続され、前記連接棒キャビティの左端壁には下方に開口したスライドキャビティが設置され、前記連接棒キャビティと前記スライドキャビティとの間に第二連接棒が設置され、前記第一連接棒と前記第二連接棒とがヒンジで接続され、前記第二連接棒の中央部分と前記固定軸とが回転で係合接続され、前記第二連接棒の左端に第三連接棒がヒンジで接続され、前記スライドキャビティの中にスライドブロックが滑合され、前記スライドブロックの頂部と第三連接棒とがヒンジで接続され、前記スライドブロックの底部に押しブロックが固定的に係合接続され、前記第一歯車キャビティの前記第一回転軸に第六傘歯車が固定的に係合接続され、前記第一歯車キャビティと前記回転軸キャビティとの間に第六回転軸が回転で係合接続され、前記第一歯車キャビティの前記第六回転軸に第七傘歯車が固定的に係合接続され、前記回転軸キャビティの前記第六回転軸には第三スパーギヤが固定的に係合接続され、前記回転軸キャビティの後端壁には前記第六回転軸の右側に位置する第七回転軸が回転で設置され、前記第七回転軸には前記第三スパーギヤと噛合する第四スパーギヤが固定的に係合接続され、前記回転軸キャビティの後端壁には前記第七回転軸の右側に位置する第八回転軸が回転で設置され、前記第八回転軸には前記第四スパーギヤと噛合する第九スパーギヤが固定的に係合接続され、前記第八回転軸にある前記第九スパーギヤの右側には第一プーリが固定的に係合接続され、前記第一歯車キャビティの下端壁には連通するベルトキャビティが設置され、前記ベルトキャビティの左端壁に伝送キャビティが係合接続され、前記伝送キャビティと前記ベルトキャビティとの間に第九回転軸が回転で係合接続され、前記第九回転軸には前記第一プーリとベルトにより伝動される第二プーリが固定的に係合接続され、前記保管庫の右端壁の底部に振動装置（付図に示していない）が設置され、前記振動装置（付図に示していない）が前記保管庫の右側に設置される振動キャビティを含み、前記振動キャビティの中には前記保管庫と固定的に接続される振動棒が設置され、前記振動棒の右側に振動シートが固定的に接続され、前記振動シートの上下左右にばねが対称的に設置され、前記振動キャビティの右側端壁に電磁石が固定的に係合接続され、第二落ちキャビティの中に垂直ベゼルが均等に分布され、前記第二落ちキャビティの底部には連通する前記伝送キャビティが設置され、前記伝送キャビティの頂端壁には回転で係合接続されるゴムベゼルが設置され、前記第三歯車キャビティの底端壁には連通する前記伝送キャビティが設置され、前記第三歯車キャビティの前記第三回転軸に第八傘歯車が固設され、前記第三歯車キャビティの後端壁に第十回転軸が回転で係合接続され、前記第十回転軸には前記第八傘歯車と噛合する第九傘歯車が固定的に係合接続され、前記第十回転軸にある前記第九傘歯車の前側には第三プーリが固定的に係合接続され、前記伝送キャビティの前端壁に第十一回転軸が回転で係合接続され、前記第十一回転軸には前記第三プーリとベルトにより接続される第四プーリが固定的に係合接続され、前記第十一回転軸にある前記第四プーリの前端にはランスリングが固定的に係合接続され、前記伝送キャビティにある前記第十一回転軸の底端に第十二回転軸が回転で係合接続され、前記第十二回転軸には前記ランスリングと滑合接続される溝付き回転盤が固定的に係合接続され、前記第十二回転軸にある前記溝付き回転盤の前側には前記第十スパーギヤが固定的に接続され、前記伝送キャビティの底部にボスが設置され、前記ボスの頂部にカバーキャビティが設置され、前記カバーキャビティの左端壁には前記カバーキャビティの前後端壁に回転で係合接続される第十三回転軸が設置され、前記第十三回転軸には前記第十スパーギヤと噛合する第十一スパーギヤが固定的に係合接続され、前記第十一スパーギヤの後側には固定的に係合接続される押し板が設置され、前記回転円盤には均等に分布される十二個の凸ブロックが設置され、前記第八回転軸の左端壁に回転盤が設置され、前記回転盤に螺旋付き凹溝が設置され、前記回転盤と前記回転円盤とが滑合接続され、前記伝送キャビティの底部には連通する且つ前記ボスに左右対称する第二ベルトキャビティが設置され、前記第二ベルトキャビティには前記第二ベルトキャビティの後端壁に回転で係合接続される第十四回転軸が設置され、前記第十四回転軸にはベルトにより接続される第五プーリが固設され、前記第十四回転軸にある前記第五プーリの前側には固定的に係合接続される第六プーリが設置され、前記第六プーリがベルトにより接続されることを特徴とする喫煙装置である。
【請求項２】
初期状態に、前記保管庫が空であり、前記押し板が右側に位置し、使用するとき、既に製造された紙巻きたばこを前記保管庫に入れ、前記モータを起動し、前記パーティションが紙巻きたばこを前記保管庫の中にきれいに整列させ、前記保管庫の中にある紙巻きたばこが重力によって前記第一落ちキャビティの中に落ち、前記振動装置（付図に示していない）の中にある前記電磁石が交流の周波数変化に伴って磁気開閉の機能を繰り返し、前記振動シートが前記電磁石の磁力の変化に伴って前記振動キャビティの中に水平方向に移動し、前記ばねが弾性を提供し、前記振動棒が前記保管庫と接続され、振動によって紙巻きたばこの落下を助け、前記紙巻きたばこが前記回転キャビティの中に落ち、前記回転キャビティの中にある前記回転円盤には均等に分布する紙巻きたばこ溝（付図に示していない）が設置され、前記紙巻きたばこが紙巻きたばこ溝（付図に示していない）の中に落ち、前記回転円盤が反時計方向に回転し、前記軸受リングが前記回転キャビティに入っていない紙巻きたばこを前記第一落ちキャビティの中に保持し、且つ圧出による紙巻きたばこの変形を防止し、前記モータが前記第一回転軸を駆動し回転させ、前記第一回転軸が前記第四傘歯車を駆動し回転させ、前記第四傘歯車が前記第五傘歯車を駆動し回転させ、前記第五傘歯車が前記第六回転軸を駆動し回転させ、前記第六回転軸が前記第三スパーギヤを駆動し回転させ、前記第三スパーギヤが前記第四スパーギヤを駆動し回転させ、前記第四スパーギヤが前記第五スパーギヤを駆動し回転させ、前記第五スパーギヤが前記第八回転軸を駆動し回転させ、前記第八回転軸が前記回転盤を駆動し回転させ、前記回転盤が前記回転円盤を駆動し回転させ、前記回転円盤が紙巻きたばこを前記第二落ちキャビティまで回転させ、前記第二落ちキャビティの中にある前記ベゼルが紙巻きたばこをきれいに分布させ、前記伝送キャビティの右側に紙巻きたばこ鉄ボックスを入れ、紙巻きたばこが前記第二落ちキャビティを通して鉄ボックスの中にきれいに整列され、前記ゴムベゼルがボックスの中に正確に配置されていない紙巻きたばこをボックスの中に整列しあるいはボックスから圧出し、前記第二歯車キャビティの中にある前記第一スパーギヤが回転し前記第二スパーギヤを駆動し回転させ、前記第二スパーギヤが前記第二回転軸を駆動し回転させ、前記第二回転軸が前記第一傘歯車を駆動し回転させ、前記第一傘歯車が前記第二傘歯車を駆動し回転させ、前記第二傘歯車が前記第八傘歯車を駆動し回転させ、前記第八傘歯車が前記第九傘歯車を駆動し回転させ、前記第九傘歯車が前記第十回転軸を駆動し回転させ、前記第十回転軸が前記第三プーリを駆動し回転させ、前記第三プーリが前記第四プーリを駆動し回転させ、前記第四プーリが前記第十一回転軸を駆動し回転させ、前記第十一回転軸が前記ランスリングを駆動し回転させ、前記ランスリングが前記溝付き回転盤を駆動し周期的に回転させ、前記溝付き回転盤が前記第十スパーギヤを駆動し回転させ、前記第十スパーギヤが前記第十一スパーギヤを駆動し回転させ、前記第十一スパーギヤが前記第十二回転軸を駆動し回転させ、前記第十二回転軸が前記押し板を駆動し回転させ、鉄ボックスが前記ボスを通過するとき、前記押し板が鉄ボックスのカバーを所定の角度まで持ち上げ、鉄ボックスのカバーが慣性によって予備的に閉じられ、前記第二傘歯車が前記第三傘歯車を駆動し回転させ、前記第三傘歯車が前記第四回転軸を駆動し回転させ、前記第四回転軸が前記第四傘歯車を駆動し回転させ、前記第四傘歯車が前記第五傘歯車を駆動し回転させ、前記第五傘歯車が前記第一連接棒を駆動し回転させ、前記第一連接棒が前記第二連接棒を駆動し回転させ、前記第二連接棒が前記第三連接棒を駆動し回転させ、前記第三連接棒が前記スライドブロックと接続され、前記第二連接棒の中央位置が固定され、スライドブロックがスライドブロック溝に移動方向を制限されるため、前記スライドブロックが垂直方向に移動しかできなく、前記スライドブロックが前記押しブロックを駆動し移動させ、予備的に閉じた鉄ボックスが前記押しブロックの下に入る位置するようになると、前記押しブロックが鉄ボックスを閉め切ることを含む喫煙装置の使用方法である。
【発明の詳細な説明】
【技術分野】
【０００１】
本発明はたばこの包装分野を取り上げて、具体的には喫煙装置の使用方法である。
【背景技術】
【０００２】
紙巻たばこは消費者の間に強い消費地位を持ち、これに対し多くの大型紙巻たばこ工場は現在、紙巻きたばこの外装デザインのために大量の人力と物資を費やし、その中に、現在、主流のたばこ外装材料は金属製鉄ボックスと紙の外装であり、現在、市場には、紙を使用した完全自動化包装に対し既に完全な装置があるが、鉄ボックスの包装が依然として主に人力または半自動機械を使用し、上記の問題に対し、本発明の装置を設計する。
【先行技術文献】
【特許文献】
【０００３】
【特許文献１】中国特許出願公開第101566535号明細書
【発明の概要】
【発明が解決しようとする課題】
【０００４】
本発明の目的は喫煙装置の使用方法を提供し、それは上記の現在の技術中の問題を解決できる。
【課題を解決するための手段】
【０００５】
本発明の喫煙装置は、外枠を含み、前記外枠の頂端壁に保管庫が設置され、前記保管庫の中に保管キャビティが設置され、前記保管キャビティの中には三つのパーティションが垂直方向に均等に分布され、前記保管庫の左端壁底部に戻しばねが設置され、前記保管庫の右端壁の底部に振動装置（付図に示していない）が設置され、前記保管庫の底部に第一落ちキャビティが設置され、前記第一落ちキャビティの底端壁に回転キャビティが設置され、前記回転キャビティの左のキャビティ壁に軸受リングが設置され、前記回転キャビティの後端壁に第一歯車キャビティが設置され、前記第一歯車キャビティの後端壁に第二歯車キャビティが設置され、前記回転キャビティと前記第二歯車キャビティとの間には前記第一歯車キャビティに貫通する第一回転軸が回転で係合接続され、前記回転キャビティの前記第一回転軸に回転円盤が固定的に係合接続され、前記第二歯車キャビティの第一回転軸に第一スパーギヤが設置され、前記第二歯車キャビティの左側にモータが設置され、前記第一回転軸の左端の延伸部が前記モータと動力で接続され、前記第二歯車キャビティの右端壁の底部に第二回転軸が回転で係合接続され、前記第二回転軸には前記第一スパーギヤと噛合する第二スパーギヤが固定的に係合接続され、前記第二回転軸にある前記第二スパーギヤの左端には第一傘歯車が固定的に係合接続され、前記第二歯車キャビティの底端壁には下方に開口した第三歯車キャビティが設置され、前記第三歯車キャビティと前記第二歯車キャビティとの間に第三回転軸が回転で係合接続され、前記第二歯車キャビティの前記第三回転軸には前記第一傘歯車と噛合する第二傘歯車が固定的に係合接続され、前記第二歯車キャビティの左側端壁に連接棒キャビティが設置され、前記第二歯車キャビティと前記連接棒キャビティとの間に第四回転軸が回転で係合接続され、前記第二歯車キャビティの前記第四回転軸には前記第二傘歯車と噛合する第三傘歯車が固定的に係合接続され、前記連接棒キャビティの前記第四回転軸には第四傘歯車が固定的に係合接続され、前記連接棒キャビティの前端壁に第五回転軸が回転で係合接続され、前記第五回転軸には前記第四傘歯車と噛合する第五傘歯車が固定的に係合接続され、前記第五傘歯車に第一連接棒が回転で係合接続され、前記連接棒キャビティの後端壁に固定軸が固定的に係合接続され、前記連接棒キャビティの左端壁には下方に開口したスライドキャビティが設置され、前記連接棒キャビティと前記スライドキャビティとの間に第二連接棒が設置され、前記第一連接棒と前記第二連接棒とがヒンジで接続され、前記第二連接棒の中央部分と前記固定軸とが回転で係合接続され、前記第二連接棒の左端に第三連接棒がヒンジで接続され、前記スライドキャビティの中にスライドブロックが滑合され、前記スライドブロックの頂部と第三連接棒とがヒンジで接続され、前記スライドブロックの底部に押しブロックが固定的に係合接続される；
【０００６】
前記第一歯車キャビティの前記第一回転軸に第六傘歯車が固定的に係合接続され、前記第一歯車キャビティと前記回転軸キャビティとの間に第六回転軸が回転で係合接続され、前記第一歯車キャビティの前記第六回転軸に第七傘歯車が固定的に係合接続され、前記回転軸キャビティの前記第六回転軸には第三スパーギヤが固定的に係合接続され、前記回転軸キャビティの後端壁には前記第六回転軸の右側に位置する第七回転軸が回転で設置され、前記第七回転軸には前記第三スパーギヤと噛合する第四スパーギヤが固定的に係合接続され、前記回転軸キャビティの後端壁には前記第七回転軸の右側に位置する第八回転軸が回転で設置され、前記第八回転軸には前記第四スパーギヤと噛合する第九スパーギヤが固定的に係合接続され、前記第八回転軸にある前記第九スパーギヤの右側には第一プーリが固定的に係合接続され、前記第一歯車キャビティの下端壁には連通するベルトキャビティが設置され、前記ベルトキャビティの左端壁に伝送キャビティが係合接続され、前記伝送キャビティと前記ベルトキャビティとの間に第九回転軸が回転で係合接続され、前記第九回転軸には前記第一プーリとベルトにより伝動される第二プーリが固定的に係合接続される。
【０００７】
更の技術プラン、前記保管庫の右端壁の底部に振動装置（付図に示していない）が設置され、前記振動装置（付図に示していない）が前記保管庫の右側に設置される振動キャビティを含み、前記振動キャビティの中には前記保管庫と固定的に接続される振動棒が設置され、前記振動棒の右側に振動シートが固定的に接続され、前記振動シートの上下左右にばねが対称的に設置され、前記振動キャビティの右側端壁に電磁石が固定的に係合接続される。
【０００８】
更の技術プラン、第二落ちキャビティの中に垂直ベゼルが均等に分布される。
【０００９】
更の技術プラン、前記第二落ちキャビティの底部には連通する前記伝送キャビティが設置され、前記伝送キャビティの頂端壁には回転で係合接続されるゴムベゼルが設置される。
【００１０】
更の技術プラン、前記第三歯車キャビティの底端壁には連通する前記伝送キャビティが設置され、前記第三歯車キャビティの前記第三回転軸に第八傘歯車が固設され、前記第三歯車キャビティの後端壁に第十回転軸が回転で係合接続され、前記第十回転軸には前記第八傘歯車と噛合する第九傘歯車が固定的に係合接続され、前記第十回転軸にある前記第九傘歯車の前側には第三プーリが固定的に係合接続され、前記伝送キャビティの前端壁に第十一回転軸が回転で係合接続され、前記第十一回転軸には前記第三プーリとベルトにより接続される第四プーリが固定的に係合接続され、前記第十一回転軸にある前記第四プーリの前端にはランスリングが固定的に係合接続され、前記伝送キャビティにある前記第十一回転軸の底端に第十二回転軸が回転で係合接続され、前記第十二回転軸には前記ランスリングと滑合接続される溝付き回転盤が固定的に係合接続され、前記第十二回転軸にある前記溝付き回転盤の前側には前記第十スパーギヤが固定的に接続され、前記伝送キャビティの底部にボスが設置され、前記ボスの頂部にカバーキャビティが設置され、前記カバーキャビティの左端壁には前記カバーキャビティの前後端壁に回転で係合接続される第十三回転軸が設置され、前記第十三回転軸には前記第十スパーギヤと噛合する第十一スパーギヤが固定的に係合接続され、前記第十一スパーギヤの後側には固定的に係合接続される押し板が設置される。
【００１１】
更の技術プラン、前記回転円盤には均等に分布される十二個の凸ブロックが設置され、前記第八回転軸の左端壁に回転盤が設置され、前記回転盤に螺旋付き凹溝が設置され、前記回転盤と前記回転円盤とが滑合接続される。
【００１２】
更の技術プラン、前記伝送キャビティの底部には連通する且つ前記ボスに左右対称する第二ベルトキャビティが設置され、前記第二ベルトキャビティには前記第二ベルトキャビティの後端壁に回転で係合接続される第十四回転軸が設置され、前記第十四回転軸にはベルトにより接続される第五プーリが固設され、前記第十四回転軸にある前記第五プーリの前側には固定的に係合接続される第六プーリが設置され、前記第六プーリがベルトにより接続される。
【００１３】
喫煙装置の使用方法について、具体的なステップが以下の通りである：
【００１４】
初期状態に、前記保管庫が空であり、前記押し板が右側に位置する；
【００１５】
使用するとき、既に製造された紙巻きたばこを前記保管庫に入れ、前記モータを起動し、前記パーティションが紙巻きたばこを前記保管庫の中にきれいに整列させ、前記保管庫の中にある紙巻きたばこが重力によって前記第一落ちキャビティの中に落ち、前記振動装置（付図に示していない）の中にある前記電磁石が交流の周波数変化に伴って磁気開閉の機能を繰り返し、前記振動シートが前記電磁石の磁力の変化に伴って前記振動キャビティの中に水平方向に移動し、前記ばねが弾性を提供し、前記振動棒が前記保管庫と接続され、振動によって紙巻きたばこの落下を助け、前記紙巻きたばこが前記回転キャビティの中に落ち、前記回転キャビティの中にある前記回転円盤には均等に分布する紙巻きたばこ溝（付図に示していない）が設置され、前記紙巻きたばこが紙巻きたばこ溝（付図に示していない）の中に落ち、前記回転円盤が反時計方向に回転し、前記軸受リングが前記回転キャビティに入っていない紙巻きたばこを前記第一落ちキャビティの中に保持し、且つ圧出による紙巻きたばこの変形を防止し、前記モータが前記第一回転軸を駆動し回転させ、前記第一回転軸が前記第四傘歯車を駆動し回転させ、前記第四傘歯車が前記第五傘歯車を駆動し回転させ、前記第五傘歯車が前記第六回転軸を駆動し回転させ、前記第六回転軸が前記第三スパーギヤを駆動し回転させ、前記第三スパーギヤが前記第四スパーギヤを駆動し回転させ、前記第四スパーギヤが前記第五スパーギヤを駆動し回転させ、前記第五スパーギヤが前記第八回転軸を駆動し回転させ、前記第八回転軸が前記回転盤を駆動し回転させ、前記回転盤が前記回転円盤を駆動し回転させ、前記回転円盤が紙巻きたばこを前記第二落ちキャビティまで回転させ、前記第二落ちキャビティの中にある前記ベゼルが紙巻きたばこをきれいに分布させ、前記伝送キャビティの右側に紙巻きたばこ鉄ボックスを入れ、紙巻きたばこが前記第二落ちキャビティを通して鉄ボックスの中にきれいに整列され、前記ゴムベゼルがボックスの中に正確に配置されていない紙巻きたばこをボックスの中に整列しあるいはボックスから圧出する；
【００１６】
前記第二歯車キャビティの中にある前記第一スパーギヤが回転し前記第二スパーギヤを駆動し回転させ、前記第二スパーギヤが前記第二回転軸を駆動し回転させ、前記第二回転軸が前記第一傘歯車を駆動し回転させ、前記第一傘歯車が前記第二傘歯車を駆動し回転させ、前記第二傘歯車が前記第八傘歯車を駆動し回転させ、前記第八傘歯車が前記第九傘歯車を駆動し回転させ、前記第九傘歯車が前記第十回転軸を駆動し回転させ、前記第十回転軸が前記第三プーリを駆動し回転させ、前記第三プーリが前記第四プーリを駆動し回転させ、前記第四プーリが前記第十一回転軸を駆動し回転させ、前記第十一回転軸が前記ランスリングを駆動し回転させ、前記ランスリングが前記溝付き回転盤を駆動し周期的に回転させ、前記溝付き回転盤が前記第十スパーギヤを駆動し回転させ、前記第十スパーギヤが前記第十一スパーギヤを駆動し回転させ、前記第十一スパーギヤが前記第十二回転軸を駆動し回転させ、前記第十二回転軸が前記押し板を駆動し回転させ、鉄ボックスが前記ボスを通過するとき、前記押し板が鉄ボックスのカバーを所定の角度まで持ち上げ、鉄ボックスのカバーが慣性によって予備的に閉じられる；
【００１７】
前記第二傘歯車が前記第三傘歯車を駆動し回転させ、前記第三傘歯車が前記第四回転軸を駆動し回転させ、前記第四回転軸が前記第四傘歯車を駆動し回転させ、前記第四傘歯車が前記第五傘歯車を駆動し回転させ、前記第五傘歯車が前記第一連接棒を駆動し回転させ、前記第一連接棒が前記第二連接棒を駆動し回転させ、前記第二連接棒が前記第三連接棒を駆動し回転させ、前記第三連接棒が前記スライドブロックと接続され、前記第二連接棒の中央位置が固定され、スライドブロックがスライドブロック溝に移動方向を制限されるため、前記スライドブロックが垂直方向に移動しかできなく、前記スライドブロックが前記押しブロックを駆動し移動させ、予備的に閉じた鉄ボックスが前記押しブロックの下に入る位置するようになると、前記押しブロックが鉄ボックスを閉め切る。
【発明の効果】
【００１８】
本発明の有益な効果は下記の通りである：
【００１９】
使用するとき、既に製造された紙巻きたばこを前記保管庫に入れ、前記モータを起動し、前記パーティションが紙巻きたばこを前記保管庫の中にきれいに整列させ、前記保管庫の中にある紙巻きたばこが重力によって前記第一落ちキャビティの中に落ち、前記振動装置（付図に示していない）の中にある前記電磁石が交流の周波数変化に伴って磁気開閉の機能を繰り返し、前記振動シートが前記電磁石の磁力の変化に伴って前記振動キャビティの中に水平方向に移動し、前記ばねが弾性を提供し、前記振動棒が前記保管庫と接続され、振動によって紙巻きたばこの落下を助け、前記紙巻きたばこが前記回転キャビティの中に落ち、前記回転キャビティの中にある前記回転円盤には均等に分布する紙巻きたばこ溝（付図に示していない）が設置され、前記紙巻きたばこが紙巻きたばこ溝（付図に示していない）の中に落ち、前記回転円盤が反時計方向に回転し、前記軸受リングが前記回転キャビティに入っていない紙巻きたばこを前記第一落ちキャビティの中に保持し、且つ圧出による紙巻きたばこの変形を防止し、前記モータが前記第一回転軸を駆動し回転させ、前記第一回転軸が前記第四傘歯車を駆動し回転させ、前記第四傘歯車が前記第五傘歯車を駆動し回転させ、前記第五傘歯車が前記第六回転軸を駆動し回転させ、前記第六回転軸が前記第三スパーギヤを駆動し回転させ、前記第三スパーギヤが前記第四スパーギヤを駆動し回転させ、前記第四スパーギヤが前記第五スパーギヤを駆動し回転させ、前記第五スパーギヤが前記第八回転軸を駆動し回転させ、前記第八回転軸が前記回転盤を駆動し回転させ、前記回転盤が前記回転円盤を駆動し回転させ、前記回転円盤が紙巻きたばこを前記第二落ちキャビティまで回転させ、前記第二落ちキャビティの中にある前記ベゼルが紙巻きたばこをきれいに分布させ、前記伝送キャビティの右側に紙巻きたばこ鉄ボックスを入れ、紙巻きたばこが前記第二落ちキャビティを通して鉄ボックスの中にきれいに整列され、前記ゴムベゼルがボックスの中に正確に配置されていない紙巻きたばこをボックスの中に整列しあるいはボックスから圧出する；
【００２０】
前記第二歯車キャビティの中にある前記第一スパーギヤが回転し前記第二スパーギヤを駆動し回転させ、前記第二スパーギヤが前記第二回転軸を駆動し回転させ、前記第二回転軸が前記第一傘歯車を駆動し回転させ、前記第一傘歯車が前記第二傘歯車を駆動し回転させ、前記第二傘歯車が前記第八傘歯車を駆動し回転させ、前記第八傘歯車が前記第九傘歯車を駆動し回転させ、前記第九傘歯車が前記第十回転軸を駆動し回転させ、前記第十回転軸が前記第三プーリを駆動し回転させ、前記第三プーリが前記第四プーリを駆動し回転させ、前記第四プーリが前記第十一回転軸を駆動し回転させ、前記第十一回転軸が前記ランスリングを駆動し回転させ、前記ランスリングが前記溝付き回転盤を駆動し周期的に回転させ、前記溝付き回転盤が前記第十スパーギヤを駆動し回転させ、前記第十スパーギヤが前記第十一スパーギヤを駆動し回転させ、前記第十一スパーギヤが前記第十二回転軸を駆動し回転させ、前記第十二回転軸が前記押し板を駆動し回転させ、鉄ボックスが前記ボスを通過するとき、前記押し板が鉄ボックスのカバーを所定の角度まで持ち上げ、鉄ボックスのカバーが慣性によって予備的に閉じられる；
【００２１】
前記第二傘歯車が前記第三傘歯車を駆動し回転させ、前記第三傘歯車が前記第四回転軸を駆動し回転させ、前記第四回転軸が前記第四傘歯車を駆動し回転させ、前記第四傘歯車が前記第五傘歯車を駆動し回転させ、前記第五傘歯車が前記第一連接棒を駆動し回転させ、前記第一連接棒が前記第二連接棒を駆動し回転させ、前記第二連接棒が前記第三連接棒を駆動し回転させ、前記第三連接棒が前記スライドブロックと接続され、前記第二連接棒の中央位置が固定され、スライドブロックがスライドブロック溝に移動方向を制限されるため、前記スライドブロックが垂直方向に移動しかできなく、前記スライドブロックが前記押しブロックを駆動し移動させ、予備的に閉じた鉄ボックスが前記押しブロックの下に入る位置するようになると、前記押しブロックが鉄ボックスを閉め切る。
【図面の簡単な説明】
【００２２】
説明しやすいため、本発明は以下の具体的な実施例と付図を交え詳しく説明する。
【００２３】
【図１】図1は本発明の喫煙製品の全体構成略図である。
【図２】図2は図1のA-Aの部分構成略図である。
【図３】図3は図1のB-Bの拡大構成略図である。
【図４】図4は図1のCの部分構成略図である。
【図５】図5は図1のDの拡大構成略図である。
【発明を実施するための形態】
【００２４】
図1~5が示すように、本発明の喫煙装置は、外枠10を含み、前記外枠10の頂端壁に保管庫46が設置され、前記保管庫46の中に保管キャビティ37が設置され、前記保管キャビティ37の中には三つのパーティション61が垂直方向に均等に分布され、前記保管庫46の左端壁底部に戻しばね52が設置され、前記保管庫46の右端壁の底部に振動装置（付図に示していない）が設置され、前記保管庫46の底部に第一落ちキャビティ45が設置され、前記第一落ちキャビティ45の底端壁に回転キャビティ82が設置され、前記回転キャビティ82の左のキャビティ壁に軸受リング53が設置され、前記回転キャビティ82の後端壁に第一歯車キャビティ42が設置され、前記第一歯車キャビティ42の後端壁に第二歯車キャビティ43が設置され、前記回転キャビティ82と前記第二歯車キャビティ43との間には前記第一歯車キャビティ42に貫通する第一回転軸40が回転で係合接続され、前記回転キャビティ82の前記第一回転軸40に回転円盤44が固定的に係合接続され、前記第二歯車キャビティ43の第一回転軸40に第一スパーギヤ39が設置され、前記第二歯車キャビティ43の左側にモータ48が設置され、前記第一回転軸40の左端の延伸部が前記モータ48と動力で接続され、前記第二歯車キャビティ43の右端壁の底部に第二回転軸37が回転で係合接続され、前記第二回転軸37には前記第一スパーギヤ39と噛合する第二スパーギヤ38が固定的に係合接続され、前記第二回転軸37にある前記第二スパーギヤ38の左端には第一傘歯車36が固定的に係合接続され、前記第二歯車キャビティ43の底端壁には下方に開口した第三歯車キャビティ27が設置され、前記第三歯車キャビティ27と前記第二歯車キャビティ43との間に第三回転軸21が回転で係合接続され、前記第二歯車キャビティ43の前記第三回転軸21には前記第一傘歯車36と噛合する第二傘歯車20が固定的に係合接続され、前記第二歯車キャビティ43の左側端壁に連接棒キャビティ49が設置され、前記第二歯車キャビティ43と前記連接棒キャビティ49との間に第四回転軸16が回転で係合接続され、前記第二歯車キャビティ43の前記第四回転軸16には前記第二傘歯車20と噛合する第三傘歯車19が固定的に係合接続され、前記連接棒キャビティ49の前記第四回転軸16には第四傘歯車32が固定的に係合接続され、前記連接棒キャビティ49の前端壁に第五回転軸15が回転で係合接続され、前記第五回転軸15には前記第四傘歯車32と噛合する第五傘歯車14が固定的に係合接続され、前記第五傘歯車14に第一連接棒50が回転で係合接続され、前記連接棒キャビティ49の後端壁に固定軸51が固定的に係合接続され、前記連接棒キャビティ49の左端壁には下方に開口したスライドキャビティ11が設置され、前記連接棒キャビティ39と前記スライドキャビティ11との間に第二連接棒が設置され、前記第一連接棒50と前記第二連接棒12とがヒンジで接続され、前記第二連接棒12の中央部分と前記固定軸51とが回転で係合接続され、前記第二連接棒12の左端に第三連接棒13がヒンジで接続され、前記スライドキャビティ11の中にスライドブロック17が滑合され、前記スライドブロック17の頂部と第三連接棒13とがヒンジで接続され、前記スライドブロック17の底部に押しブロック18が固定的に係合接続される；
【００２５】
前記第一歯車キャビティ42の前記第一回転軸40に第六傘歯車41が固定的に係合接続され、前記第一歯車キャビティ42と前記回転軸キャビティ77との間に第六回転軸81が回転で係合接続され、前記第一歯車キャビティ42の前記第六回転軸81に第七傘歯車75が固定的に係合接続され、前記回転軸キャビティ77の前記第六回転軸81には第三スパーギヤ80が固定的に係合接続され、前記回転軸キャビティ77の後端壁には前記第六回転軸81の右側に位置する第七回転軸79が回転で設置され、前記第七回転軸79には前記第三スパーギヤ80と噛合する第四スパーギヤ78が固定的に係合接続され、前記回転軸キャビティ77の後端壁には前記第七回転軸79の右側に位置する第八回転軸57が回転で設置され、前記第八回転軸57には前記第四スパーギヤ78と噛合する第九スパーギヤ56が固定的に係合接続され、前記第八回転軸57にある前記第九スパーギヤ56の右側には第一プーリ58が固定的に係合接続され、前記第一歯車キャビティ42の下端壁には連通するベルトキャビティ55が設置され、前記ベルトキャビティ55の左端壁に伝送キャビティ34が係合接続され、前記伝送キャビティ34と前記ベルトキャビティ55との間に第九回転軸54が回転で係合接続され、前記第九回転軸54には前記第一プーリ58とベルトにより伝動される第二プーリ31が固定的に係合接続される。
【００２６】
有益的には、前記保管庫46の右端壁の底部に振動装置（付図に示していない）が設置され、前記振動装置（付図に示していない）が前記保管庫46の右側に設置される振動キャビティ72を含み、前記振動キャビティ72の中には前記保管庫46と固定的に接続される振動棒90が設置され、前記振動棒90の右側に振動シート74が固定的に接続され、前記振動シート74の上下左右にばね71が対称的に設置され、前記振動キャビティ72の右側端壁に電磁石73が固定的に係合接続される。
【００２７】
有益的には、第二落ちキャビティ35の中に垂直ベゼル26が均等に分布される。
【００２８】
有益的には、前記第二落ちキャビティ35の底部には連通する前記伝送キャビティ34が設置され、前記伝送キャビティ34の頂端壁には回転で係合接続されるゴムベゼル33が設置される。
【００２９】
有益的には、前記第三歯車キャビティ27の底端壁には連通する前記伝送キャビティ34が設置され、前記第三歯車キャビティ27の前記第三回転軸21に第八傘歯車22が固設され、前記第三歯車キャビティ27の後端壁に第十回転軸25が回転で係合接続され、前記第十回転軸25には前記第八傘歯車22と噛合する第九傘歯車23が固定的に係合接続され、前記第十回転軸25にある前記第九傘歯車23の前側には第三プーリ24が固定的に係合接続され、前記伝送キャビティ34の前端壁に第十一回転軸63が回転で係合接続され、前記第十一回転軸63には前記第三プーリ24とベルトにより接続される第四プーリ64が固定的に係合接続され、前記第十一回転軸63にある前記第四プーリ64の前端にはランスリング62が固定的に係合接続され、前記伝送キャビティ34にある前記第十一回転軸63の底端に第十二回転軸66が回転で係合接続され、前記第十二回転軸66には前記ランスリング62と滑合接続される溝付き回転盤65が固定的に係合接続され、前記第十二回転軸66にある前記溝付き回転盤65の前側には前記第十スパーギヤが固定的に接続され、前記伝送キャビティ34の底部にボス28が設置され、前記ボス28の頂部にカバーキャビティ67が設置され、前記カバーキャビティ67の左端壁には前記カバーキャビティ67の前後端壁に回転で係合接続される第十三回転軸70が設置され、前記第十三回転軸70には前記第十スパーギヤと噛合する第十一スパーギヤ69が固定的に係合接続され、前記第十一スパーギヤ69の後側には固定的に係合接続される押し板84が設置される。
【００３０】
有益的には、前記回転円盤44には均等に分布される十二個の凸ブロックが設置され、前記第八回転軸57の左端壁に回転盤76が設置され、前記回転盤76に螺旋付き凹溝が設置され、前記回転盤76と前記回転円盤44とが滑合接続される。
【００３１】
有益的には、前記伝送キャビティ34の底部には連通する且つ前記ボス28に左右対称する第二ベルトキャビティ29が設置され、前記第二ベルトキャビティ29には前記第二ベルトキャビティ29の後端壁に回転で係合接続される第十四回転軸31が設置され、前記第十四回転軸31にはベルトにより接続される第五プーリ68が固設され、前記第十四回転軸31にある前記第五プーリ68の前側には固定的に係合接続される第六プーリ30が設置され、前記第六プーリ30がベルトにより接続される。
【００３２】
初期状態に、前記保管庫46が空であり、前記押し板84が右側に位置する；
【００３３】
使用するとき、既に製造された紙巻きたばこを前記保管庫46に入れ、前記モータ48を起動し、前記パーティション61が紙巻きたばこを前記保管庫46の中にきれいに整列させ、前記保管庫46の中にある紙巻きたばこが重力によって前記第一落ちキャビティ45の中に落ち、前記振動装置（付図に示していない）の中にある前記電磁石73が交流の周波数変化に伴って磁気開閉の機能を繰り返し、前記振動シート74が前記電磁石73の磁力の変化に伴って前記振動キャビティ72の中に水平方向に移動し、前記ばね71が弾性を提供し、前記振動棒90が前記保管庫46と接続され、振動によって紙巻きたばこの落下を助け、前記紙巻きたばこが前記回転キャビティ82の中に落ち、前記回転キャビティ82の中にある前記回転円盤44には均等に分布する紙巻きたばこ溝（付図に示していない）が設置され、前記紙巻きたばこが紙巻きたばこ溝（付図に示していない）の中に落ち、前記回転円盤44が反時計方向に回転し、前記軸受リング53が前記回転キャビティ82に入っていない紙巻きたばこを前記第一落ちキャビティ45の中に保持し、且つ圧出による紙巻きたばこの変形を防止し、前記モータ48が前記第一回転軸40を駆動し回転させ、前記第一回転軸40が前記第四傘歯車41を駆動し回転させ、前記第四傘歯車41が前記第五傘歯車75を駆動し回転させ、前記第五傘歯車75が前記第六回転軸81を駆動し回転させ、前記第六回転軸81が前記第三スパーギヤ80を駆動し回転させ、前記第三スパーギヤ80が前記第四スパーギヤ78を駆動し回転させ、前記第四スパーギヤ78が前記第五スパーギヤ56を駆動し回転させ、前記第五スパーギヤが前記第八回転軸57を駆動し回転させ、前記第八回転軸57が前記回転盤76を駆動し回転させ、前記回転盤76が前記回転円盤44を駆動し回転させ、前記回転円盤44が紙巻きたばこを前記第二落ちキャビティ35まで回転させ、前記第二落ちキャビティ35の中にある前記ベゼル26が紙巻きたばこをきれいに分布させ、前記伝送キャビティ34の右側に紙巻きたばこ鉄ボックスを入れ、紙巻きたばこが前記第二落ちキャビティ35を通して鉄ボックスの中にきれいに整列され、前記ゴムベゼル33がボックスの中に正確に配置されていない紙巻きたばこをボックスの中に整列しあるいはボックスから圧出する；
【００３４】
前記第二歯車キャビティ43の中にある前記第一スパーギヤ39が回転し前記第二スパーギヤ38を駆動し回転させ、前記第二スパーギヤ38が前記第二回転軸37を駆動し回転させ、前記第二回転軸37が前記第一傘歯車36を駆動し回転させ、前記第一傘歯車36が前記第二傘歯車20を駆動し回転させ、前記第二傘歯車20が前記第八傘歯車22を駆動し回転させ、前記第八傘歯車22が前記第九傘歯車23を駆動し回転させ、前記第九傘歯車23が前記第十回転軸25を駆動し回転させ、前記第十回転軸が前記第三プーリ24を駆動し回転させ、前記第三プーリ24が前記第四プーリ64を駆動し回転させ、前記第四プーリが前記第十一回転軸63を駆動し回転させ、前記第十一回転軸63が前記ランスリング62を駆動し回転させ、前記ランスリング62が前記溝付き回転盤65を駆動し周期的に回転させ、前記溝付き回転盤65が前記第十スパーギヤを駆動し回転させ、前記第十スパーギヤが前記第十一スパーギヤ69を駆動し回転させ、前記第十一スパーギヤ69が前記第十二回転軸70を駆動し回転させ、前記第十二回転軸70が前記押し板84を駆動し回転させ、鉄ボックスが前記ボス28を通過するとき、前記押し板83が鉄ボックスのカバーを所定の角度まで持ち上げ、鉄ボックスのカバーが慣性によって予備的に閉じられる；
【００３５】
前記第二傘歯車20が前記第三傘歯車19を駆動し回転させ、前記第三傘歯車19が前記第四回転軸16を駆動し回転させ、前記第四回転軸16が前記第四傘歯車32を駆動し回転させ、前記第四傘歯車32が前記第五傘歯車14を駆動し回転させ、前記第五傘歯車14が前記第一連接棒50を駆動し回転させ、前記第一連接棒50が前記第二連接棒12を駆動し回転させ、前記第二連接棒12が前記第三連接棒13を駆動し回転させ、前記第三連接棒13が前記スライドブロック17と接続され、前記第二連接棒12の中央位置が固定され、スライドブロック17がスライドブロック溝11に移動方向を制限されるため、前記スライドブロック17が垂直方向に移動しかできなく、前記スライドブロック17が前記押しブロック18を駆動し移動させ、予備的に閉じた鉄ボックスが前記押しブロック18の下に入る位置するようになると、前記押しブロック18が鉄ボックスを閉め切る。
【００３６】
本発明の有益な効果は下記の通りである：
【００３７】
本装置を使用するとき、既に製造された紙巻きたばこを前記保管庫に入れ、前記モータを起動し、前記パーティションが紙巻きたばこを前記保管庫の中にきれいに整列させ、前記保管庫の中にある紙巻きたばこが重力によって前記第一落ちキャビティの中に落ち、前記振動装置（付図に示していない）の中にある前記電磁石が交流の周波数変化に伴って磁気開閉の機能を繰り返し、前記振動シートが前記電磁石の磁力の変化に伴って前記振動キャビティの中に水平方向に移動し、前記ばねが弾性を提供し、前記振動棒が前記保管庫と接続され、振動によって紙巻きたばこの落下を助け、前記紙巻きたばこが前記回転キャビティの中に落ち、前記回転キャビティの中にある前記回転円盤には均等に分布する紙巻きたばこ溝（付図に示していない）が設置され、前記紙巻きたばこが紙巻きたばこ溝（付図に示していない）の中に落ち、前記回転円盤が反時計方向に回転し、前記軸受リングが前記回転キャビティに入っていない紙巻きたばこを前記第一落ちキャビティの中に保持し、且つ圧出による紙巻きたばこの変形を防止し、前記モータが前記第一回転軸を駆動し回転させ、前記第一回転軸が前記第四傘歯車を駆動し回転させ、前記第四傘歯車が前記第五傘歯車を駆動し回転させ、前記第五傘歯車が前記第六回転軸を駆動し回転させ、前記第六回転軸が前記第三スパーギヤを駆動し回転させ、前記第三スパーギヤが前記第四スパーギヤを駆動し回転させ、前記第四スパーギヤが前記第五スパーギヤを駆動し回転させ、前記第五スパーギヤが前記第八回転軸を駆動し回転させ、前記第八回転軸が前記回転盤を駆動し回転させ、前記回転盤が前記回転円盤を駆動し回転させ、前記回転円盤が紙巻きたばこを前記第二落ちキャビティまで回転させ、前記第二落ちキャビティの中にある前記ベゼルが紙巻きたばこをきれいに分布させ、前記伝送キャビティの右側に紙巻きたばこ鉄ボックスを入れ、紙巻きたばこが前記第二落ちキャビティを通して鉄ボックスの中にきれいに整列され、前記ゴムベゼルがボックスの中に正確に配置されていない紙巻きたばこをボックスの中に整列しあるいはボックスから圧出する；
【００３８】
前記第二歯車キャビティの中にある前記第一スパーギヤが回転し前記第二スパーギヤを駆動し回転させ、前記第二スパーギヤが前記第二回転軸を駆動し回転させ、前記第二回転軸が前記第一傘歯車を駆動し回転させ、前記第一傘歯車が前記第二傘歯車を駆動し回転させ、前記第二傘歯車が前記第八傘歯車を駆動し回転させ、前記第八傘歯車が前記第九傘歯車を駆動し回転させ、前記第九傘歯車が前記第十回転軸を駆動し回転させ、前記第十回転軸が前記第三プーリを駆動し回転させ、前記第三プーリが前記第四プーリを駆動し回転させ、前記第四プーリが前記第十一回転軸を駆動し回転させ、前記第十一回転軸が前記ランスリングを駆動し回転させ、前記ランスリングが前記溝付き回転盤を駆動し周期的に回転させ、前記溝付き回転盤が前記第十スパーギヤを駆動し回転させ、前記第十スパーギヤが前記第十一スパーギヤを駆動し回転させ、前記第十一スパーギヤが前記第十二回転軸を駆動し回転させ、前記第十二回転軸が前記押し板を駆動し回転させ、鉄ボックスが前記ボスを通過するとき、前記押し板が鉄ボックスのカバーを所定の角度まで持ち上げ、鉄ボックスのカバーが慣性によって予備的に閉じられる；
【００３９】
前記第二傘歯車が前記第三傘歯車を駆動し回転させ、前記第三傘歯車が前記第四回転軸を駆動し回転させ、前記第四回転軸が前記第四傘歯車を駆動し回転させ、前記第四傘歯車が前記第五傘歯車を駆動し回転させ、前記第五傘歯車が前記第一連接棒を駆動し回転させ、前記第一連接棒が前記第二連接棒を駆動し回転させ、前記第二連接棒が前記第三連接棒を駆動し回転させ、前記第三連接棒が前記スライドブロックと接続され、前記第二連接棒の中央位置が固定され、スライドブロックがスライドブロック溝に移動方向を制限されるため、前記スライドブロックが垂直方向に移動しかできなく、前記スライドブロックが前記押しブロックを駆動し移動させ、予備的に閉じた鉄ボックスが前記押しブロックの下に入る位置するようになると、前記押しブロックが鉄ボックスを閉め切る。
【００４０】
本発明の有益な効果は下記の通りである：本発明の構造が簡単で、操作が便利で、本発明の装置は、紙巻きたばこの単独分離、紙巻きたばこを充填し紙巻きたばこの鉄ボックスを閉める機能を持ち、本装置の紙巻きたばこの単独分離が、周期装置を利用し、且つ円盤にある凹溝を接合し選別を行い、包装の過程では、伝動装置が周期的に紙巻きたばこを下方に移動し、そして周期運動によりカバー閉め装置の作動を駆動し、また、本装置が完全自動化の包装方式を使用するため、鉄ボックス紙巻きたばこの包装効率を大幅に高める。
【００４１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020033102.tif 000003
【図２】
2020033102.tif 000004
【図３】
2020033102.tif 000005
【図４】
2020033102.tif 000006
【図５】
2020033102.tif 000007